【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
それぞれ異なるシーンを示す複数の動画像データを記録媒体から再生する再生手段と、
前記再生手段により再生された複数の動画像データからそれぞれ一部の動画像データを抽出する抽出手段と、
前記複数の動画像データに係る名称をテキストとして前記複数のシーンの動画像に重畳して表示するための付加情報を生成する付加情報生成手段と、
前記抽出手段により抽出された複数の前記一部の動画像データと前記付加情報生成手段により生成された付加情報とを合成し、前記複数の動画像データのダイジェスト画像を示すダイジェスト画像データを生成するダイジェスト生成手段とを備えることを特徴とする動画処理装置。
【請求項２】
前記付加情報は前記名称を示すテキスト情報であり、前記生成手段は前記複数の一部の動画像データに対し、前記複数の動画像データに対応した前記テキスト情報を多重することにより前記ダイジェスト画像データを生成することを特徴とする請求項１記載の動画処理装置。
【請求項３】
前記ダイジェスト生成手段は更に、前記ダイジェスト画像データに係る管理情報内に前記付加情報を格納し、当該管理情報内に格納された前記付加情報を前記ダイジェスト画像データに付加することを特徴とする請求項１記載の動画処理装置。
【請求項４】
前記付加情報生成手段は、前記再生手段により再生された動画像データに付加された情報に基づいて前記名称を検出することを特徴とする請求項１乃至３のいずれか１項に記載の動画処理装置。
【請求項５】
前記複数の動画像データはそれぞれファイル形式で記録されており、前記名称は、前記動画像データのファイル名であることを特徴とする請求項１乃至３のいずれか１項に記載の動画処理装置。
【請求項６】
前記名称は、前記動画像データに対して任意に付加されたタイトル名であることを特徴とする請求項１乃至３のいずれか１項に記載の動画処理装置。
【請求項７】
前記ダイジェスト生成手段は更に、
前記ダイジェスト画像データにおけるシーンの切り替えに同期して場面転換効果を付加することを特徴とする請求項１乃至６のいずれか１項に記載の動画処理装置。
【請求項８】
前記ダイジェスト生成手段は、
前記ダイジェスト画像データにおけるシーンの切り替えに同期して場面転換を示すシンボルを重畳することを特徴とする請求項１乃至６のいずれか１項に記載の動画処理装置。
【請求項９】
それぞれ異なるシーンを示す複数の動画像データを記録媒体から再生する再生ステップと、
前記再生ステップにより再生された複数の動画像データからそれぞれ一部の動画像データを抽出する抽出ステップと、
前記複数の動画像データに係る名称をテキストとして前記複数のシーンの動画像に重畳して表示するための付加情報を生成する付加情報生成ステップと、
前記抽出ステップにより抽出された複数の前記一部の動画像データと前記付加情報生成ステップにより生成された付加情報とを合成し、前記複数の動画像データのダイジェスト画像を示すダイジェスト画像データを生成するダイジェスト生成ステップとを備えることを特徴とする動画処理方法。
【請求項１０】
前記付加情報は前記名称を示すテキスト情報であり、前記生成手段は前記複数の一部の動画像データに対し、前記複数の動画像データに対応した前記テキスト情報を多重することにより前記ダイジェスト画像データを生成することを特徴とする請求項９記載の動画処理方法。
【請求項１１】
前記ダイジェスト生成ステップは更に、前記ダイジェスト画像データに係る管理情報内に前記付加情報を格納し、当該管理情報内に格納された前記付加情報を前記ダイジェスト画像データに付加することを特徴とする請求項９記載の動画処理方法。
【請求項１２】
前記付加情報生成ステップは、前記再生ステップにより再生された動画像データに付加された情報に基づいて前記名称を検出することを特徴とする請求項９乃至１１のいずれか１項に記載の動画処理方法。
【請求項１３】
前記複数の動画像データはそれぞれファイル形式で記録されており、前記名称は、前記動画像データのファイル名であることを特徴とする請求項９乃至１１のいずれか１項に記載の動画処理方法。
【請求項１４】
前記名称は、前記動画像データに対して任意に付加されたタイトル名であることを特徴とする請求項９乃至１１のいずれか１項に記載の動画処理方法。
【請求項１５】
前記ダイジェスト生成ステップは更に、
前記ダイジェスト画像データにおけるシーンの切り替えに同期して場面転換効果を付加することを特徴とする請求項９乃至１４のいずれか１項に記載の動画処理方法。
【請求項１６】
前記ダイジェスト生成ステップは、
前記ダイジェスト画像データにおけるシーンの切り替えに同期して場面転換を示すシンボルを重畳することを特徴とする請求項９乃至１４のいずれか１項に記載の動画処理方法。
【手続補正２】
【補正対象書類名】明細書
【補正対象項目名】発明の名称
【補正方法】変更
【補正の内容】
【発明の名称】動画処理装置、及び動画処理方法
【手続補正３】
【補正対象書類名】明細書
【補正対象項目名】０００１
【補正方法】変更
【補正の内容】
【０００１】
本発明は、動画処理装置、及び動画処理方法に関し、特に記録媒体中の動画データを処理する際に、複数の動画データから要約を表すダイジェスト動画データを生成する動画処理装置、及び動画処理方法に関する。
【手続補正４】
【補正対象書類名】明細書
【補正対象項目名】００１１
【補正方法】変更
【補正の内容】
【００１１】
本発明の目的は、ユーザが記録媒体中の複数動画の内容把握を速やかに行うことができる動画処理装置、及び動画処理方法を提供することにある。
【手続補正５】
【補正対象書類名】明細書
【補正対象項目名】００１２
【補正方法】変更
【補正の内容】
【００１２】
上記目的を達成するために、請求項１記載の動画処理装置は、それぞれ異なるシーンを示す複数の動画像データを記録媒体から再生する再生手段と、前記再生手段により再生された複数の動画像データからそれぞれ一部の動画像データを抽出する抽出手段と、前記複数の動画像データに係る名称をテキストとして前記複数のシーンの動画像に重畳して表示するための付加情報を生成する付加情報生成手段と、前記抽出手段により抽出された複数の前記一部の動画像データと前記付加情報生成手段により生成された付加情報とを合成し、前記複数の動画像データのダイジェスト画像を示すダイジェスト画像データを生成するダイジェスト生成手段とを備えることを特徴とする。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
請求項７記載の動画処理装置は、請求項１乃至６のいずれか１項に記載の動画処理装置において、前記ダイジェスト生成手段は更に、前記ダイジェスト画像データにおけるシーンの切り替えに同期して場面転換効果を付加することを特徴とする。
【手続補正９】
【補正対象書類名】明細書
【補正対象項目名】００２１
【補正方法】変更
【補正の内容】
【００２１】
請求項８記載の動画処理装置は、請求項１乃至６のいずれか１項に記載の動画処理装置において、前記ダイジェスト生成手段は、前記ダイジェスト画像データにおけるシーンの切り替えに同期して場面転換を示すシンボルを重畳することを特徴とする。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
上記目的を達成するために、請求項９記載の動画処理方法は、それぞれ異なるシーンを示す複数の動画像データを記録媒体から再生する再生ステップと、前記再生ステップにより再生された複数の動画像データからそれぞれ一部の動画像データを抽出する抽出ステップと、前記複数の動画像データに係る名称をテキストとして前記複数のシーンの動画像に重畳して表示するための付加情報を生成する付加情報生成ステップと、前記抽出ステップにより抽出された複数の前記一部の動画像データと前記付加情報生成ステップにより生成された付加情報とを合成し、前記複数の動画像データのダイジェスト画像を示すダイジェスト画像データを生成するダイジェスト生成ステップとを備えることを特徴とする。
【手続補正１２】
【補正対象書類名】明細書
【補正対象項目名】００２４
【補正方法】変更
【補正の内容】
【００２４】
請求項１０記載の動画処理方法は、請求項９記載の動画処理方法において、前記付加情報は前記名称を示すテキスト情報であり、前記生成手段は前記複数の一部の動画像データに対し、前記複数の動画像データに対応した前記テキスト情報を多重することにより前記ダイジェスト画像データを生成することを特徴とする。
【手続補正１３】
【補正対象書類名】明細書
【補正対象項目名】００２５
【補正方法】変更
【補正の内容】
【００２５】
請求項１１記載の動画処理方法は、請求項９記載の動画処理方法において、前記ダイジェスト生成ステップは更に、前記ダイジェスト画像データに係る管理情報内に前記付加情報を格納し、当該管理情報内に格納された前記付加情報を前記ダイジェスト画像データに付加することを特徴とする。
【手続補正１４】
【補正対象書類名】明細書
【補正対象項目名】００２６
【補正方法】変更
【補正の内容】
【００２６】
請求項１２記載の動画処理方法は、請求項９乃至１１のいずれか１項に記載の動画処理方法において、前記付加情報生成ステップは、前記再生ステップにより再生された動画像データに付加された情報に基づいて前記名称を検出することを特徴とする。
【手続補正１５】
【補正対象書類名】明細書
【補正対象項目名】００２７
【補正方法】変更
【補正の内容】
【００２７】
請求項１３記載の動画処理方法は、請求項９乃至１１のいずれか１項に記載の動画処方法において、前記複数の動画像データはそれぞれファイル形式で記録されており、前記名称は、前記動画像データのファイル名であることを特徴とする。
【手続補正１６】
【補正対象書類名】明細書
【補正対象項目名】００２８
【補正方法】変更
【補正の内容】
【００２８】
請求項１４記載の動画処理方法は、請求項９乃至１１のいずれか１項に記載の動画処理方法において、前記名称は、前記動画像データに対して任意に付加されたタイトル名であることを特徴とする。
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
請求項１５記載の動画処理方法は、請求項９乃至１４のいずれか１項に記載の動画処理方法において、前記ダイジェスト生成ステップは更に、前記ダイジェスト画像データにおけるシーンの切り替えに同期して場面転換効果を付加することを特徴とする。
【手続補正２０】
【補正対象書類名】明細書
【補正対象項目名】００３２
【補正方法】変更
【補正の内容】
【００３２】
請求項１６記載の動画処理方法は、請求項９乃至１４のいずれか１項に記載の動画処理方法において、前記ダイジェスト生成ステップは、前記ダイジェスト画像データにおけるシーンの切り替えに同期して場面転換を示すシンボルを重畳することを特徴とする。
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】変更
【補正の内容】
【００３５】
請求項１記載の動画処理装置、及び請求項９記載の動画処理方法によれば、記録媒体から再生された複数の動画像データから抽出された複数の一部の動画像データと、複数の動画像データに係る名称をテキストとして複数のシーンの動画像に重畳して表示するために生成された付加情報とを合成し、複数の動画像データダイジェスト画像を示すダイジェスト画像データを生成するので、ユーザが記録媒体中の元動画データの内容把握を速やかに行うことができる。
【手続補正２４】
【補正対象書類名】明細書
【補正対象項目名】００３６
【補正方法】変更
【補正の内容】
【００３６】
請求項２記載の動画処理装置及び請求項１０記載の動画処理方法によれば、付加情報は名称を示すテキスト情報であり、上記複数の一部の動画像データに対し、複数の動画像データに対応したテキスト情報を多重することによりダイジェスト画像データを生成するので、ユーザが記録媒体中の元動画データの内容把握を速やかに行うことが確実にできる。
【手続補正２５】
【補正対象書類名】明細書
【補正対象項目名】００３７
【補正方法】変更
【補正の内容】
【００３７】
請求項３記載の動画処理装置及び請求項１１記載の動画処理方法によれば、ダイジェスト画像データに係る管理情報内に付加情報を格納し、この管理情報内に格納された付加情報をダイジェスト画像データに付加するので、ユーザが記録媒体中の元動画データの内容把握を速やかに行うことが確実にできる。
【手続補正２６】
【補正対象書類名】明細書
【補正対象項目名】００３８
【補正方法】変更
【補正の内容】
【００３８】
請求項４記載の動画処理装置及び請求項１２記載の動画処理方法によれば、再生された動画像データに付加された情報に基づいて上記名称を検出するので、ユーザが記録媒体中の元動画データの内容把握を速やかに行うことがより確実にできる。
【手続補正２７】
【補正対象書類名】明細書
【補正対象項目名】００３９
【補正方法】変更
【補正の内容】
【００３９】
請求項５記載の動画処理装置及び請求項１３記載の動画処理方法によれば、複数の動画像データはそれぞれファイル形式で記録されており、上記名称は、動画像データのファイル名であるので、ユーザが記録媒体中の元動画データの内容把握を速やかに行うことがより確実にできる。
【手続補正２８】
【補正対象書類名】明細書
【補正対象項目名】００４０
【補正方法】変更
【補正の内容】
【００４０】
請求項６記載の動画処理装置及び請求項１４記載の動画処理方法によれば、上記名称は、動画像データに対して任意に付加されたタイトル名であるので、ユーザが記録媒体中の元動画データの内容把握を速やかに行うことがより確実にできる。
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】変更
【補正の内容】
【００４３】
請求項７記載の動画処理装置及び請求項１５記載の動画処理方法によれば、ダイジェスト画像データにおけるシーンの切り替えに同期して場面転換効果を付加するので、ユーザはダイジェスト化された元動画データの切り替わりを容易に視認することができる。
【手続補正３２】
【補正対象書類名】明細書
【補正対象項目名】００４４
【補正方法】変更
【補正の内容】
【００４４】
請求項８記載の動画処理装置及び請求項１６記載の動画処理方法によれば、ダイジェスト画像データにおけるシーンの切り替えに同期して場面転換を示すシンボルを重畳するので、ユーザはダイジェスト化された元動画データの切り替わりを容易に視認することができる。
【手続補正３３】
【補正対象書類名】明細書
【補正対象項目名】００４５
【補正方法】削除
【補正の内容】